(57)【要約】【課題】容量の小さい箱であっても、表示面積を大きくとることが可能であり、しかも顧客が購入前に表示内容を読んで内容物に関する情報を確認することが可能な紙箱を提案する。【解決手段】表面板と裏面板と２枚の側面板と上蓋と底蓋とによって収納部を形成してなる紙箱であって、表面板の片側に折線を介して第一の側面板と糊代を連設し、表面板の反対側に折線を介して第二の側面板と裏面板を連設し、表面板の上方に折線を介して上蓋と差込片を連設し、表面板の下方に折線を介して底蓋と差込片を連設してなり、前記裏面板は、上方に延長部を有し、下方に折線を介して連設した底面カバーと表面カバーを有し、前記糊代を前記裏面板に接着して収納部を形成し、前記表面カバーを、前記表面板に重ねて前記収納部を覆い、表面カバーの先端と裏面板の延長部の先端とを係合させることにより、形成したことを特徴とする外カバー付き紙箱。【選択図】図１
2010184735.tif 000002
【特許請求の範囲】
【請求項１】
表面板と裏面板と２枚の側面板と上蓋と底蓋とによって収納部を形成してなる紙箱であって、表面板の片側に折線を介して第一の側面板と糊代を連設し、表面板の反対側に折線を介して第二の側面板と裏面板を連設し、表面板の上方に折線を介して上蓋と差込片を連設し、表面板の下方に折線を介して底蓋と差込片を連設してなり、前記裏面板は、上方に延長部を有し、下方に折線を介して連設した底面カバーと表面カバーを有し、前記糊代を前記裏面板に接着して収納部を形成し、前記表面カバーを、前記表面板に重ねて前記収納部を覆い、表面カバーの先端と裏面板の延長部の先端とを係合させることにより、形成したことを特徴とする外カバー付き紙箱。
【請求項２】
裏面板の延長部と表面カバーの先端部が半円形であることを特徴とする請求項１に記載の外カバー付き紙箱。
【請求項３】
表面板は、開封ミシン目と開封孔を有することを特徴とする請求項１または２に記載の外カバー付き紙箱。
【請求項４】
底面カバーと裏面板の間の折線および、底面カバーと表面カバーの間の折線に台形状をなす底面切込み線が設けられており、前記折線を折曲げた時、該台形の上辺部分が突出して足部を形成することを特徴とする請求項１〜３のいずれか１項に記載の外カバー付き紙箱。
【発明の詳細な説明】
【技術分野】
【０００１】
本発明は、物品を収納して販売するための個別包装用の紙箱に関し、特に家庭用医薬品を収納する紙箱として好適に使用できる紙箱に関する。
【背景技術】
【０００２】
かぜ薬や頭痛薬などの家庭用医薬品は、医家用と異なり、大量に使用するものではないため、販売単位も小さいものである。これを単純に必要十分な大きさの紙箱に収納すると、箱が小さくなり過ぎて使い勝手が悪かった。また医薬品の場合、使用上の注意を表示する必要があるが、箱が小さい場合には、箱の外側にすべてを表示しきれないため、別に印刷した注意書きを箱の内部に封入する方法が採られていた。しかし、使用者がしばしば注意書きを紛失したり取り違えたりするという問題があった。また別途注意書きを作成する費用もかかっていた。また注意書きを収納箱に封入すると、顧客が購入前に注意書きの内容を読んで確認することができないという基本的な問題があった。
【０００３】
特許文献１に記載された表示片付包装用箱は、内容物に対する説明や注意等の記載可能面積を広くすることができる表示片付包装用箱である。この包装用箱は、表示片を側壁に連設して設け、表示片の上下に差込係止片を設けて箱の蓋の隙間に挿入して係止するようにしたものである。この表示片付包装用箱によれば、箱の側壁とほぼ同じ大きさの表示片が付属しているので、表示面積が増大する。
【０００４】
特許文献２に記載された表示片付包装用箱は、同様に箱の側面に連設して設けた表示片を一部接着して容易には開封できないようにしたものであり、さらに表示片を切離線によって切離して、参照できるようにしたものである。
【先行技術文献】
【特許文献】
【０００５】
【特許文献１】特開平９−１０４４３３号公報
【特許文献２】特開平１１−２５５２３３号公報
【発明の概要】
【発明が解決しようとする課題】
【０００６】
特許文献１に記載された表示片付包装用箱は、表示片を所定の場所に収納すると、一見通常の箱と見分けがつかなくなるため、折角用意した表示に、購入者が気付かない恐れがある。また特許文献２に記載された表示片付包装用箱は、表示片を側面に接着したため、顧客が購入前に内容を確認することができない。また表示片を切離した場合、紛失する恐れが生じるという問題がある。
【０００７】
本発明の解決しようとする課題は、容量の小さい箱であっても、表示面積を大きくとることが可能であり、しかも顧客が購入前に表示内容を読んで内容物に関する情報を確認することが可能な紙箱を提案するものである。
【課題を解決するための手段】
【０００８】
上記の課題を解決するための手段として、請求項１に記載の発明は、表面板と裏面板と２枚の側面板と上蓋と底蓋とによって収納部を形成してなる紙箱であって、表面板の片側に折線を介して第一の側面板と糊代を連設し、表面板の反対側に折線を介して第二の側面板と裏面板を連設し、表面板の上方に折線を介して上蓋と差込片を連設し、表面板の下方に折線を介して底蓋と差込片を連設してなり、前記裏面板は、上方に延長部を有し、下方
に折線を介して連設した底面カバーと表面カバーを有し、前記糊代を前記裏面板に接着して収納部を形成し、前記表面カバーを、前記表面板に重ねて前記収納部を覆い、表面カバーの先端と裏面板の延長部の先端とを係合させることにより、形成したことを特徴とする外カバー付き紙箱である。
【０００９】
また、請求項２に記載の発明は、裏面板の延長部と表面カバーの先端部が半円形であることを特徴とする請求項１に記載の外カバー付き紙箱である。
【００１０】
また、請求項３に記載の発明は、表面板は、開封ミシン目と開封孔を有することを特徴とする請求項１または２に記載の外カバー付き紙箱である。
【００１１】
また、請求項４に記載の発明は、底面カバーと裏面板の間の折線および、底面カバーと表面カバーの間の折線に台形状をなす底面切込み線が設けられており、前記折線を折曲げた時、該台形の上辺部分が突出して足部を形成することを特徴とする請求項１〜３のいずれか１項に記載の外カバー付き紙箱である。
【発明の効果】
【００１２】
本発明に係る外カバー付き紙箱は、収納部の外側を覆う底面カバーと表面カバーからなる外カバーを有するため、収納部の大きさに較べて大きな表面積を有し、ここに取り扱い上の注意事項や説明を表示することができるため、別刷りの説明書を封入する必要をなくすることができる。このため、説明書を紛失する恐れがなく、説明書を作成する費用や、封入するための費用を削減できる。また、収納部を開封しなくても、外カバーを開いて、そこに表示してある説明や注意書きを読むことも可能にできる構造であるから、顧客が購入前に、内容物に関する詳細な情報を得ることができるようにする事も可能である。
【００１３】
また本発明に係る外カバー付き紙箱は、一繋がりの一枚のブランクスから組み立てることができるので、組み立てが容易であり、余分な手間や費用が発生しない。また裏面板とその上部の延長部分が外カバーの一部を兼ねているため、材料の付加が最小限で済む。
【００１４】
また、裏面板の延長部と表面カバーの先端部が半円形である場合には、表面カバーを開いた時の形が薬品のカプセルを連想させるものであるため、カプセル入りの医薬品の紙箱として用いた場合、デザインの面からみて好適である。
【００１５】
また、表面板に、開封ミシン目と開封孔が設けられている場合には、開封が極めて容易となり、また開封したことが一目で分かるので、いたずら防止効果をも発揮する。
【００１６】
また、底面カバーと裏面板の間の折線および、底面カバーと表面カバーの間の折線に台形状をなす底面切込み線が設けられており、前記折線を折曲げた時、該台形の上辺部分が突出して足部を形成するようにした場合には、紙箱を安定して立てることが可能となるため、販売棚への収納の面で利便性が高く、販売時の展示効果に優れる。
【図面の簡単な説明】
【００１７】
【図１】図１は、本発明に係る外カバー付き紙箱の一実施態様を示した斜視図である。
【図２】図２は、図１に示した外カバー付き紙箱のブランクスの展開図である。
【発明を実施するための形態】
【００１８】
図に従って、本発明に係る外カバー付き紙箱について詳細に説明する。図１は、本発明に係る外カバー付き紙箱の一実施態様を示した斜視図である。また図２は、図１に示した
外カバー付き紙箱のブランクスの展開図である。本発明に係る外カバー付き紙箱１は、図２に示したような一繋がりの一枚のブランクスからなり、箱に組み立てると図２のように収納部がカバーに覆われたような外観を呈する。
【００１９】
図２のブランクスに示されたように、本発明に係る外カバー付き紙箱は、表面板６と裏面板２と２枚の側面板５、７と上蓋１０と底蓋１２とによって収納部を形成してなる紙箱であって、表面板６の片側に折線２３、２４を介して第一の側面板７（側面板１）と糊代８を連設し、表面板６の反対側に折線２２、２１を介して第二の側面板５（側面板２）と裏面板２を連設し、表面板６の上方に折線２７、２８を介して上蓋１０と差込片１１を連設し、表面板６の下方に折線２５、２６を介して底蓋１２と差込片１３を連設してなる。糊代８を裏面板２に接着するだけで、収納部を形成することができる。この実施態様においては、表面板６にＶ字形状の開封ミシン目１８と、開封のきっかけとなる開封孔１９が設けられている。また２枚の側面板５、７には、それぞれ上下にフラップ１４が連設されている。また差込片１１、１３を形成する折線２８、２６には、両端部に切り込みが設けられており、上蓋１０、底蓋１２がフラップ１４に引っ掛かるようになっている。
【００２０】
裏面板２は、上方にこの実施態様においては、半円形状の延長部２０を有し、下方に折線２９、３０を介して連設した底面カバー３と表面カバー４を有する。表面カバー４の先端部は、裏面板２の延長部２０と同様の半円形状をなしている。折線２９、３０を折って底面カバー３を箱に組み立てた収納部の底蓋１２に被せ、表面カバー４を、表面板６に重ねて収納部を覆い、表面カバー４の先端に設けられた係止片１６と裏面板２の延長部２０の先端に設けられた係止片差込み孔１５とを係合させることにより、図１に示したような外カバー付き紙箱１が形成される。図２に示されたブランクスの折線２１〜３０をすべて紙面から見て山折りすることによって、図２に示された外カバー付き紙箱１が形成される。
【００２１】
この実施態様においては、裏面板２の延長部２０と表面カバー４の先端は、ともに半円形であるが、この部分の形状については、特に制約はない。ただし、両者を係合させて係止させる都合上、先端部が突出している形状の方が係止部が１カ所で済むため、使い勝手がよい。この実施態様のように、裏面板２の延長部２０と表面カバー４の先端がともに半円形であると、表面カバーを開いた時、全体の形状が医薬品のカプセルを思わせる形状となるため、カプセル形状の医薬品用の収納容器としては、好適である。
【００２２】
本発明に係る外カバー付き紙箱１は、このように収納部の外側に底面カバー３、表面カバー４からなる外カバーを有し、さらに裏面板２の延長部２０が存在するので、収納部がコンパクトでありながら、説明書や使用上の注意などを記載する面積を十分に確保することができる。外カバーを開くことによって、さらに広い表示面積を確保することが可能となる。
【００２３】
収納部がコンパクトにできるため、必要最小限の内容物に限定することが可能となり、例えば医薬品であれば、不必要に大量の医薬品を購入して余らせて無駄にすることもなくなる。
【００２４】
この実施態様においては、底面カバー３と裏面板２の間の折線２９および、底面カバー３と表面カバー４の間の折線３０にそれぞれ台形状をなす底面切込み線１７が２つづつ設けられており、折線２９、３０を折曲げた時、台形の上辺部分が突出して図１に見られるような足部を形成する。このようにすることにより、底面カバー３が正確な平面にならず、丸みを帯びて湾曲したとしても、足部が突出して足となるので、箱を立てた状態で安定して置いておく事ができる。
【００２５】
表面板６に設けた開封孔１９は、孔でもよいし、切込み線にして、指で押し切れるようにしても良い。また収納部を形成する底蓋１２と上蓋１０をシールして、容易には開封できないようにした場合には、開封ミシン目が、開封したかどうかを判断する証明となるので、いたずら防止機能を奏する。また裏面板２の延長部２０の先端部と表面カバー４の先端部の係合部分をシール等によって封止した場合には、底蓋、上蓋をシールする必要は無くなる。どの部分でシールを保証するかは、任意である。
【実施例１】
【００２６】
坪量２７０ｇ／ｍ２の両面コートボール紙の両面に印刷を施し、抜き型で打ち抜いて、図２に示された形状のブランクスを作成した。図に示された折線２１〜２８をすべて山折りし、糊代８を裏面板２に接着して収納部を形成した。内容物として、咳止め薬のカプセルを８個収納し、折線２９、３０を山折りして底カバー３、表面カバー４を折曲げ、収納部を覆う外カバーとした。裏面板２の延長部２０に設けた係止片差込み孔１５に、表面カバーの先端に設けた係止片１６を差込んで固定すると、図２に示されたような外カバー付き紙箱が完成した。この紙箱は、上蓋１０と底蓋１２に封緘を施し、開封ミシン目１８を切らない限り、容易には開封できないようにし、表面カバー４は、自由に開けるようにした。この紙箱は、咳止め薬としての使用上の注意事項を表面板に表示し、別刷りの使用説明書を同封する必要がなかった。このため、購入者は、表面カバーを開いて詳細な注意事項を購入前に、読むことが可能であり、安心して購入することができるものとなった。また外装である表面カバーに、カプセルの形状に見立てた訴求効果の高い意匠を施すことができた。
【符号の説明】
【００２７】
１・・・外カバー付き紙箱
２・・・裏面板
３・・・底面カバー
４・・・表面カバー
５・・・側面板１
６・・・表面板
７・・・側面板２
８・・・糊代
９・・・開口部
１０・・・上蓋
１１・・・差込片
１２・・・底蓋
１３・・・差込片
１４・・・フラップ
１５・・・係止片差込み孔
１６・・・係止片
１７・・・底面切込み線
１８・・・開封ミシン目
１９・・・開封孔
２０・・・延長部
２１・・・折線
２２・・・折線
２３・・・折線
２４・・・折線
２５・・・折線
２６・・・折線
２７・・・折線
２８・・・折線
２９・・・折線
３０・・・折線
【図１】
2010184735.tif 000003
【図２】
2010184735.tif 000004